(57)【要約】【課題】  暗証番号の入力等の煩雑な作業を行うことなく、電子機器を操作する使用者が意識しない状態で使用者を識別して使用可能な機能を制御することができる電子機器を提供する。【解決手段】  電子機器（携帯電話機）１０は、使用者の顔を撮影可能な部位に設けられた撮像手段１３０と、使用者の顔認識に使用される顔認識基準データを記憶する顔認識基準データ記憶手段１３１と、複数の機能の制御に用いる機能制御情報を記憶する制御情報記憶手段１３２と、電子機器１０の操作を検知する操作検知手段１３３と、制御手段１３４とを備える。制御手段１３４は、電子機器１０の操作が検知されたときに、電子機器１０の使用者の顔を撮影し、その顔の画像データと顔認識基準データとの比較結果に基づいて使用者を識別し、その識別結果と機能制御情報とに基づいて使用者が使用可能な機能を制御する。【選択図】  図４
2007067782.tif 000002
【特許請求の範囲】
【請求項１】
複数の機能を有し、使用者が操作することにより該複数の機能の少なくとも一つを使用可能な電子機器であって、
該電子機器を操作する使用者の顔を撮影可能な部位に設けられた撮像手段と、
使用者の顔認識に使用される顔認識基準データを記憶する顔認識基準データ記憶手段と、
該複数の機能の制御に用いる機能制御情報を記憶する制御情報記憶手段と、
該電子機器の操作を検知する操作検知手段と、
該電子機器の操作が検知されたときに、該電子機器の使用者の顔を撮影し、その顔の画像データと該顔認識基準データとの比較結果に基づいて該使用者を識別し、その識別結果と該機能制御情報とに基づいて該使用者が使用可能な機能を制御する制御手段と、
を備えたことを特徴とする電子機器。
【請求項２】
請求項１の電子機器において、
上記操作検知手段は、上記電子機器の使用開始操作を検知し、
上記制御手段は、該使用開始操作が検知されたときに、上記顔の撮影と上記使用者の識別と上記機能制御とを行うように制御することを特徴とする電子機器。
【請求項３】
請求項１又は２の電子機器において、
上記制御手段は、上記電子機器の使用中に、予め設定した時間間隔ごとに上記顔の撮影と上記使用者の識別と上記機能制御とを継続して行うように制御することを特徴とする電子機器。
【請求項４】
請求項１、２又は３の電子機器において、
上記顔認識基準データ記憶手段は、複数の使用者について上記顔認識基準データを記憶し、
上記制御手段は、該複数の使用者について上記顔の撮影と上記使用者の識別と上記機能制御とを行うように制御することを特徴とする電子機器。
【請求項５】
請求項４の電子機器において、
上記制御情報記憶手段は、該複数の使用者のそれぞれについて上記機能制御情報を記憶し、
上記制御手段は、該複数の使用者ごとに、上記使用可能な機能の制御を行うことを特徴とする電子機器。
【請求項６】
請求項１、２、３、４又は５の電子機器において、
画像表示手段を備え、
上記制御手段は、上記機能制御に用いる上記使用者の顔の画像を該画像表示手段に表示しないように制御することを特徴とする電子機器。
【請求項７】
請求項１、２、３、４、５又は６の電子機器において、
使用者によって保存されるデータを記憶するデータ記憶手段を備え、
上記機能制御の対象は、該データ記憶手段に保存されているデータの参照、編集、移動及び複写並びに該データの格納状態の表示の少なくとも一つの機能であることを特徴とする電子機器。
【請求項８】
請求項７の電子機器において、
上記電子機器は、通信ネットワークを介して通信可能な通信端末であり、
上記データ記憶手段に保存されるデータは、通信相手先情報及び通信履歴情報の少なくとも一方であることを特徴とする電子機器。
【請求項９】
請求項１、２、３、４、５又は６の電子機器において、
上記電子機器は、通信ネットワークを介して音声通話が可能な通信端末であり、
上記機能制御の対象は、該音声通話の発信、着信及び着信通知表示の少なくとも一つの機能であることを特徴とする電子機器。
【請求項１０】
請求項１、２、３、４、５又は６の電子機器において、
上記電子機器は、通信ネットワークを介してメールの送受信が可能な通信端末であり、
上記機能制御の対象は、該メールの発信、着信及び着信通知表示の少なくとも一つの機能であることを特徴とする電子機器。
【請求項１１】
請求項１、２、３、４、５又は６の電子機器において、
上記電子機器は、通信ネットワークを介して通信可能な通信端末であり、
上記制御手段は、所定の発信者から動作モード設定を行うための電話又はメールを着信したとき、上記電子機器の操作検知に基づく上記顔の撮影、上記使用者の識別及び上記機能制御を行う顔認証制御モードに設定するように制御することを特徴とする情報通信端末。
【発明の詳細な説明】
【技術分野】
【０００１】
本発明は、移動体通信端末やパーソナルコンピュータ等の情報通信端末を含む電子機器に関するものである。
【背景技術】
【０００２】
従来、この種の電子機器として、所定の暗証番号を入力することにより電話の発信や通信相手先リストの使用等の機能を制限できるようにした携帯電話機が知られている。この携帯電話機では、例えば所定の設定画面で使用者が暗証番号を入力することにより、その使用者が正規の使用者か否かが確認される。そして、正しい暗証番号が入力され正規の使用者であることが確認された場合に、上記電話の発信や通信相手先リストの使用を禁止する操作禁止モードが設定される。この操作禁止モードでは、正規の使用者やその他の者が電話の発信等を行おうとしても、その操作が禁止される。上記操作禁止モードは、所定の設定画面で上記暗証番号を再度入力することにより解除することができる。
また、上記電話の発信等を遠隔的に禁止できるようにした携帯電話機も知られている（例えば特許文献１参照）。この携帯電話機では、無線回線を介して所定回継続される呼び出しにより応答メッセージを送出し、その応答メッセージの送出中に無線回線を介して所定形式の制御信号を受信する。この制御信号に基づいてダイヤルキーの操作による発信を禁止する。これにより、携帯電話機の紛失・盗難・置き忘れの場合、悪意のある第三者による不正使用を防止することができる。
【特許文献１】特開平１１−２９８６００号公報
【発明の開示】
【発明が解決しようとする課題】
【０００３】
しかしながら、上記従来の携帯電話機では、上記電話発信等の機能を制限するために、その携帯電話機を操作して暗証番号を入力したり、その携帯電話機に対して他の電話機から所定の呼び出しや制御信号の送信を行ったりするという煩雑な作業が必要であり、不便であるという問題点があった。
かかる問題点は、上記暗証番号の入力を受け付けたり上記所定の呼び出し等を着信したりして機能を制限するようなものであれば、上記携帯電話機以外の電子機器についても同様に生じ得る。
【０００４】
本発明は以上の問題点に鑑みなされたものであり、その目的は、暗証番号の入力等の煩雑な作業を行うことなく、電子機器を操作する使用者が意識しない状態で使用者を識別して使用可能な機能を制御することができる電子機器を提供することである。
【課題を解決するための手段】
【０００５】
上記目的を達成するために、請求項１の発明は、複数の機能を有し、使用者が操作することにより該複数の機能の少なくとも一つを使用可能な電子機器であって、該電子機器を操作する使用者の顔を撮影可能な部位に設けられた撮像手段と、使用者の顔認識に使用される顔認識基準データを記憶する顔認識基準データ記憶手段と、該複数の機能の制御に用いる機能制御情報を記憶する制御情報記憶手段と、該電子機器の操作を検知する操作検知手段と、該電子機器の操作が検知されたときに、該電子機器の使用者の顔を撮影し、その顔の画像データと該顔認識基準データとの比較結果に基づいて該使用者を識別し、その識別結果と該機能制御情報とに基づいて該使用者が使用可能な機能を制御する制御手段と、を備えたことを特徴とするものである。
この電子機器では、使用者の顔認識に使用される顔認識基準データが予め顔認識基準データ記憶手段に記憶されている。そして、電子機器の操作が検知されると、その使用者の顔が撮影され、この撮影された顔の画像データと、上記顔認識基準データ記憶手段に記憶されている顔認識基準データとが比較される。この比較結果に基づいて、上記操作している使用者が自動識別されるので、使用者の識別のために暗証番号の入力等の煩雑な作業を行う必要がない。しかも、電子機器を操作する使用者の顔を撮影するという使用者が意識しない状態で、使用者を識別することができる。そして、この識別結果と、予め記憶しておいた機能制御情報とに基づいて、その使用者について予め設定されている機能についてのみ使用できるように使用可能な機能を制御することができる。
【０００６】
また、請求項２の発明は、請求項１の電子機器において、上記操作検知手段は、上記電子機器の使用開始操作を検知し、上記制御手段は、該使用開始操作が検知されたときに、上記顔の撮影と上記使用者の識別と上記機能制御とを行うように制御することを特徴とするものである。
この電子機器では、使用者による使用開始操作が検知されたときに、上記顔の撮影と上記使用者の識別と上記機能制御とを行うことにより、使用者が電子機器の使用を開始した後、その使用者に対する所定の機能制御を速やかに開始することができる。
【０００７】
また、請求項３の発明は、請求項１又は２の電子機器において、上記制御手段は、上記電子機器の使用中に、予め設定した所定の時間間隔ごとに上記顔の撮影と上記使用者の識別と上記機能制御とを継続して行うように制御することを特徴とするものである。
この電子機器では、電子機器の使用中に、予め設定した所定の時間間隔ごとに上記顔の撮影と上記使用者の識別と上記機能制御とを継続して行う。これにより、電子機器の使用中に、その電子機器を実際に操作している使用者が他の使用者に変わった場合でも、当該他の使用者に対する所定の機能制御を速やかに開始できる。
【０００８】
また、請求項４の発明は、請求項１、２又は３の電子機器において、上記顔認識基準データ記憶手段は、複数の使用者について上記顔認識基準データを記憶し、上記制御手段は、該複数の使用者について上記顔の撮影と上記使用者の識別と上記機能制御とを行うように制御することを特徴とするものである。
この電子機器では、複数の使用者それぞれについて、上記撮影した顔の画像データによる使用者の識別を行い、その使用者に対する機能の制御を行うことができる。
【０００９】
また、請求項５の発明は、請求項４の電子機器において、上記制御情報記憶手段は、該複数の使用者のそれぞれについて上記機能制御情報を記憶し、上記制御手段は、該複数の使用者ごとに、上記使用可能な機能の制御を行うことを特徴とするものである。
この電子機器では、上記撮影された顔の画像データで識別された複数の使用者ごとに互いに異なる内容で機能を制御できる。
【００１０】
また、請求項６の発明は、請求項１、２、３、４又は５の電子機器において、画像表示手段を備え、上記制御手段は、上記撮影した使用者の顔の画像を該画像表示手段に表示しないように制御することを特徴とするものである。
この電子機器では、撮影した使用者の顔の画像を表示しないことにより、顔が撮影されていることが使用者にわかりにくくなるので、使用者が意識しない状態での使用者の識別をより確実に行うことができる。
【００１１】
また、請求項７の発明は、請求項１、２、３、４、５又は６の電子機器において、使用者によって保存されるデータを記憶するデータ記憶手段を備え、上記機能制御の対象は、該データ記憶手段に保存されているデータの参照、編集、移動及び複写並びに該データの格納状態の表示の少なくとも一つの機能であることを特徴とするものである。
この電子機器では、電子機器を操作している使用者を識別し、データ記憶手段に保存されているデータの参照、編集、移動及び複写並びにそのデータの格納状態の表示の少なくとも一つの機能の使用可否を制御する。ここで、上記データの格納状態の表示は、例えばデータファイルが格納されたフォルダの表示や、フォルダ内のデータファイルの一覧表示である。
【００１２】
また、請求項８の発明は、請求項７の電子機器において、上記電子機器は、通信ネットワークを介して通信可能な通信端末であり、上記データ記憶手段に保存されるデータは、通信相手先情報及び通信履歴情報の少なくとも一方であることを特徴とするものである。
この電子機器では、電子機器を操作している使用者を識別し、通信相手先情報及び通信履歴情報の少なくとも一方のデータについて、そのデータの参照、編集、移動及び複写の少なくとも一つの機能の使用可否を制御する。
【００１３】
また、請求項９の発明は、請求項１、２、３、４、５又は６の電子機器において、上記電子機器は、通信ネットワークを介して音声通話が可能な通信端末であり、上記機能制御の対象は、該音声通話の発信、着信及び着信通知表示の少なくとも一つの機能であることを特徴とするものである。
この電子機器では、電子機器を操作している使用者を識別し、音声通話の発信、着信及び着信通知表示の少なくとも一つの機能の使用可否を制御する。
【００１４】
また、請求項１０の発明は、請求項１、２、３、４、５又は６の電子機器において、上記電子機器は、通信ネットワークを介してメールの送受信が可能な通信端末であり、上記機能制御の対象は、該メールの発信、着信及び着信通知表示の少なくとも一つの機能であることを特徴とするものである。
この電子機器では、電子機器を操作している使用者を識別し、メールの発信、着信及び着信通知表示の少なくとも一つの機能の使用可否を制御する。
【００１５】
また、請求項１１の発明は、請求項１、２、３、４、５又は６の電子機器において、上記電子機器は、通信ネットワークを介して通信可能な通信端末であり、上記制御手段は、所定の発信者から動作モード設定を行うための電話又はメールを着信したとき、上記電子機器の操作検知に基づく上記顔の撮影、上記使用者の識別及び上記機能制御を行う顔認証制御モードに設定するように制御することを特徴とするものである。
この電子機器では、所定の発信者から動作モード設定を行うための電話又はメールを着信したとき上記顔認証制御モードに自動的に設定されるので、顔認証制御モードのリモート設定が可能になる。
【００１６】
なお、上記「電子機器」には、移動体通信端末のほか、携帯型情報端末（ＰＤＡ：Personal Digital Assistance）など、使用者が操作することにより複数の機能の少なくとも一つを使用可能なあらゆる電子機器が含まれる。また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）などが挙げられる。
また、上記電子機器における処理及び制御は、これに設けられたコンピュータで所定のプログラムを実行することによって実現することもできる。このコンピュータで用いるプログラムの受け渡しは、デジタル情報としてプログラムを記録したＦＤ、ＣＤ−ＲＯＭ等の記録媒体を用いて行ってもいいし、コンピュータネットワーク等の通信ネットワークを用いて行ってもよい。
【発明の効果】
【００１７】
請求項１の発明によれば、暗証番号の入力等の煩雑な作業を行うことなく、電子機器を操作する使用者が意識しない状態で使用者を識別し使用可能な機能を制御することができるという効果がある。
請求項２の発明によれば、使用者が電子機器の使用を開始したとき、その使用者に対する所定の機能制御を速やかに開始することができるという効果がある。
請求項３の発明によれば、電子機器の使用中に、その電子機器を実際に操作している使用者が他の使用者に変わった場合でも、当該他の使用者に対する所定の機能制御を速やかに開始できるという効果がある。
請求項４の発明によれば、電子機器を操作して使用する使用者が複数いる場合に、複数の使用者それぞれについて機能の制御を行うことができるという効果がある。
請求項５の発明によれば、複数の使用者ごとに互いに異なる内容で機能を制御できるという効果がある。
請求項６の発明によれば、顔が撮影されていることが使用者にわかりにくくなるので、使用者が意識しない状態での使用者の識別をより確実に行うことができるという効果がある。
請求項７の発明によれば、データ記憶手段に保存されているデータの参照、編集、移動及び複写の少なくとも一つの機能を特定の使用者のみ使用できるように制御できるという効果がある。
請求項８の発明によれば、通信相手先情報及び通信履歴情報の少なくとも一方のデータについて、そのデータの参照、編集、移動及び複写並びに該データの格納状態の表示の少なくとも一つの機能を特定の使用者のみ使用できるように制御できるという効果がある。
請求項９の発明によれば、音声通話の発信、着信及び着信通知表示の少なくとも一つの機能を特定の使用者のみ使用できるように制御できるという効果がある。
請求項１０の発明によれば、メールの発信、着信及び着信通知表示の少なくとも一つの機能を特定の使用者のみ使用できるように制御できるという効果がある。
請求項１１の発明によれば、顔認証制御モードをリモート設定が可能になるという効果がある。
【発明を実施するための最良の形態】
【００１８】
以下、図面を参照しながら本発明の実施形態について説明する。
図１は本実施形態に係る電子機器である移動体通信端末としての携帯電話機１０のハードウェア構成の一例を示すブロック図である。この携帯電話機１０は、主制御部１１０と無線通信部１１１とベースバンド処理部１１２と音入出力部１１３と表示部１１４と操作部１１５とを備える。
【００１９】
主制御部１１０はメイン処理部（ＭＰＵ）とも呼ばれ、ＣＰＵ１１０ａや内部メモリ１１０ｂ等を備えている。内部メモリはＲＡＭやＲＯＭ等で構成される。この主制御部１１０は、所定の基本ＯＳ、ミドルウェア、デバイスドライバ等のプログラムが実行されることにより、無線通信部１１１やベースバンド処理部１１２等の各部を制御したり、ソフトウェア構成上のネイティブプラットフォーム環境やアプリケーション実行環境を構築したりする。
【００２０】
無線通信部１１１は、例えばシンセサイザ、周波数変換器，高周波増幅器などにより構成され、携帯電話通信網４０の基地局４１との間で無線通信するための高周波信号処理を実行する。
【００２１】
ベースバンド処理部１１２は、外部の移動体通信端末やサーバとの間で電話やデータ送受信の通信を行うためのデジタル処理を実行する。このベースバンド処理部１１２と上記無線通信部１１１との間はＤ／Ａ変換器やＡ／Ｄ変換器を介して接続されている。
【００２２】
音入出力部１１３は、マイク、スピーカ、イヤホンジャック、音信号処理部等で構成されている。マイクから出力されるアナログの音声信号は、音信号処理部でデジタル信号に変換され、主制御部１１０やベースバンド処理部１１２等に送られる。スピーカは、音信号処理部でデジタル信号から変換されたアナログ信号が入力され、通話中の音声を出力したり、メールの着信音、電話の呼び出し音、音楽などを出力したりする。なお、スピーカは、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２３】
表示部１１４は、内向きのメインディスプレイ（正面ディスプレイ）と、外向きのサブディスプレイ（背面ディスプレイ）と、各サブディスプレイに対する描画処理を行う描画処理部とを用いて構成されている。メインディスプレイ及びサブディスプレイは例えばＬＣＤ（液晶ディスプレイ）や有機ＥＬ(Organic Electroluminescence)、ＬＥＤ(Light-Emitting Diode)アレイ等で構成され、主制御部１１０からの指令に基づいて各種画像が表示される。この表示部１１４は、本発明における画像表示手段としても用いられる。
【００２４】
操作部１１５は、データ入力キー（テンキー、＊キー、＃キー）、通話開始キー、終話キー、スクロールキー、多機能キー等の複数のキーで構成されている。この操作部１１５は、利用者が通話開始、終話、メニュー選択、画面切り換え等を指示したり情報を入力したりするときに用いられる。
【００２５】
また、携帯電話機１０は、電子財布サービスで用いられる電子マネー処理用の集積回路装置としての専用ＩＣチップやＩＣカードで構成された電子財布チップ部１１６を備えている。この電子財布チップ部１１６は、各種施設や店舗等に設置された電子財布サービスの決済用端末装置であるリーダ／ライタ装置（以下、「Ｒ／Ｗ装置」という。）３０との間で、所定通信プロトコルによる非接触通信を行うためのアンテナや無線通信回路を有している。
【００２６】
また、携帯電話機１０は、ＧＰＳ（Global Positioning System）部１１７、カメラ部１１８、センサ部１１９、電源供給部１２０、メモリーカード部１２１、操作開始検知部１２２、図示しない時計部等も備えている。
【００２７】
ＧＰＳ部１１７は、ＧＰＳ受信モジュールやＧＰＳアンテナ等で構成され、地球の周りに配置されている複数のＧＰＳ衛星から電波を受信し、その受信結果に基づいて携帯電話機１０が位置する緯度、経度及び高度のデータを算出する。
【００２８】
カメラ部１１８は、図２に示すようにカメラモジュール１１８ａと１組のカメラ（外向きの背面カメラ１０８、内向きの正面カメラ１０９）とを用いて構成され、人物や風景等を撮影する時に用いられる。１組のカメラのうち内向きの正面カメラ１０９は自分取りカメラとも呼ばれ、本実施形態では後述の顔認識やテレビ電話などに使用される。また、外向きの背面カメラ１０８は他人取りカメラとも呼ばれ、主に風景や使用者以外の他の人物などの撮影に使用される。各カメラ１０８、１０９は光学レンズ及び撮像デバイスを用いて構成されている。撮像デバイスとしては、ＣＣＤ（Charge Coupled Device）カメラやＣＭＯＳカメラを用いることができる。カメラモジュール１１８ａは、各カメラ１０８、１０９の光学コントロール等を行ったり、主制御部１１０とのインターフェースを行ったりする。
【００２９】
センサ部１１９は、３軸の加速度センサや３軸の地磁気センサ等で構成されている。このセンサ部１１９の出力に基づいて、携帯電話機１０の位置、向き、姿勢、動き等を示すデータを算出することができる。
【００３０】
電源供給部１２０は、充電可能なバッテリー、バッテリーから各部に所定電圧の電力を供給する電力供給回路、バッテリーを充電する充電回路などを備えている。
【００３１】
メモリーカード部１２１は、着脱自在の外部記憶媒体としてのメモリーカードが装着されるメモリーカード装着部（カードスロット）と、メモリーカードに対するデータのメモリーカードコントローラとを用いて構成されている。
【００３２】
操作開始検知部１２２は、筺体の可動部分に設けられたタッチセンサや回転センサ等のコンタクトセンサの他、プッシュスイッチ、コンタクトスイッチ等の接点スイッチ等で構成され、携帯電話機１０の筐体の状況（筐体の変化）を検知することにより、携帯電話機１０の操作、特に携帯電話機１０の使用開始操作を検知する。かかる検知に用いる携帯電話機１０の筐体の状況（筐体の変化）としては、次のようなものがある。
例えば、折り畳みタイプ（クラムシェルタイプ）の携帯電話機の場合は、筐体上部と筐体下部とを接触対向させて閉じた非操作時の閉状態と、筐体上部を揺動させて筐体下部から離して開いた操作時の開状態との間の筐体の状態変化を利用できる。そして、携帯電話機のフリップオープンされて閉状態から開状態に切り換わったときに、その状態の変化が、ヒンジ部などに組み込まれたセンサによって検知され、若しくはスイッチの接点状態が変化して、携帯電話機１０の操作が開始されたと自動認識することができる。特に、筐体上部のディスプレイ及びカメラのある面が１８０度反転するように筐体上部の一部を回転可能なスウィーベルタイプの携帯電話機の場合は、使用者に対向するカメラを特定できるよう筐体上部の回転を検知するように構成する。
また、スライドタイプの携帯電話機の場合は、筐体蓋部を筐体本体に重ねて閉じた非操作時の閉状態と、筐体蓋部をスライドさせて筐体本体の操作部が露出するように開いた操作時の開状態との間の筐体の状態変化を利用できる。この閉状態から開状態に切り換わったときに、携帯電話機１０の操作が開始されたと自動認識することができる。
また、ストレートタイプの携帯電話機の場合は、携帯電話機の筐体が使用者に保持されていない非操作時の非保持状態と、携帯電話機の筐体が使用者に保持されている操作時の保持状態との間の筐体の状態変化を利用できる。この非保持状態から保持状態に切り換わったときに、携帯電話機１０の操作が開始されたと自動認識することができる。
【００３３】
時計部はクロック回路等で構成され、正確な日時を計数し、また、時差テーブルを有する場合はワールドタイムを計数し、電話・メールの通信や画像撮影のタイムスタンプ、時計表示等のための時刻情報を生成する。
【００３４】
図３（ａ）、（ｂ）及び（ｃ）はそれぞれ携帯電話機１０の外観を示す背面図、正面図及び側面図である。この携帯電話機１０は、ヒンジ部１０Ｃを中心にして互いに揺動可能な蓋部（筐体上部）１０Ａと本体部（筐体下部）１０Ｂとを有するクラムシェル（折り畳み）タイプの携帯電話機である。
蓋部１０Ａは、アンテナ１００を有し、本体部１０Ｂに設けられた操作部１１５のキーが操作可能な開状態と、操作部１１５のキーを覆った閉状態とをとり得るようになっている。上記開状態にある蓋部１０Ａの使用者側とは反対側の表面部には、外部スピーカ１０１、サブディスプレイ１０２及び背面カメラ１０８が設けられている。また、蓋部１０Ａの使用者に対向する側の表面部には、受話スピーカ１０３、メインディスプレイ１０４及び正面カメラ１０９が設けられている。一方、上記本体部１０Ｂの使用者に対向する側の表面部には、複数のキーからなる操作部１１５、送話マイク１０５等が設けられている。使用者は、メインディスプレイ１０４の画面を見ながら操作部１１５のキーを操作することができる。また、本体部１０Ｂの側面には、シャッター１０６ａが開閉しメモリーカード２００を着脱可能なメモリーカード装着部（カードスロット）１０６と、ハンズフリー等の場合にヘッドホンが接続されるヘッドフォンジャック１０７とが設けられている。
【００３５】
図４は、携帯電話機１０における本発明の特徴部に対応する主要な機能を抽出して示した機能ブロック図である。本実施形態の携帯電話機１０は、撮像手段１３０と顔認識基準データ記憶手段１３１と制御情報記憶手段１３２と操作検知手段１３３と制御手段１３４とを備える。
【００３６】
上記撮像手段１３０は、携帯電話機１０を操作する使用者の顔を撮影可能な部位に設けられ、前述のカメラ部１１８を用いて構成される。上記図３の例では、内向きの正面カメラ１０９が用いられる。このカメラ部１１８により使用者の顔を撮影するときは、予め設定した所定の画像サイズ及びフレーム数（例えば１０フレーム／秒）で撮影される。
【００３７】
上記顔認識基準データ記憶手段１３１は、使用者の顔認識に使用される顔認識基準データを記憶する手段であり、前述の主制御部１１０における内部メモリ１１０ｂやメモリーカード２００等の外部記憶媒体を用いて構成される。上記顔認識基準データは、後述の制御手段１３４で採用される顔認識方法に応じて、携帯電話機１０の所有者や許可された登録者等の顔認識対象の人物について予め求められて記憶される。例えば、顔に存在する口や目などの顔部品の位置や大きさのデータからなる後述の個人識別パラメータファイルが、上記顔認識基準データとして記憶される。この顔部品のデータは、例えば顔の画像領域における濃淡パターンから求めることができる。
【００３８】
上記制御情報記憶手段１３２は、携帯電話機１０の複数機能の制御に用いる機能制御情報を記憶する手段であり、前述の主制御部１１０における内部メモリ１１０ｂやメモリーカード２００等の外部記憶媒体を用いて構成される。上記機能制御の対象としては、例えば、（１）所有者、（２）登録使用者及び（３）所有者及び登録使用者以外の不正使用者のそれぞれについて、次のような機能を設定することができる。これらの機能制御情報が所有者によって予め設定されて記憶される。
（１）所有者
全ての機能が使用可（平常動作）
（２）所有者以外の登録使用者
＜待受時＞
音声発信（可・不可）
メール発信（可・不可）
データ通信（制御）
ボタン（キー）操作（有効・無効）
発信履歴、着信履歴の参照（可・不可）
メールフォルダ参照（可・不可：フォルダそのものが表示されない）
発信時の番号通知（通知・非通知）
アドレス帳データ参照、編集（可・不可）
スケジュールデータ参照、編集（可・不可）
画像、ミュージック、メモリーカード等の
データフォルダ参照、編集（可・不可）
ＷＥＢのブックマーク参照、編集（可・不可）
赤外線通信（可・不可）
携帯電話機オープン時の壁紙設定
各種設定変更（可・不可）
電子財布機能（可・不可）
＜着信時＞
着信への応答（可・不可）
ボタン（キー）操作（有効・無効）
着信時の相手先（表示・非表示
（３）所有者・登録使用者以外の不正使用者
アラーム（アラーム音、ＬＥＤ点滅、バイブレータ起動等）
ディスプレイの表示オフ
電話のダイヤルのロック
全機能のロック（オールロック）
不正使用対応モード（Emergency動作モード）設定時の動作の実行
【００３９】
ここで、上記（２）登録使用者及び（３）不正使用者に対する機能制御については、所有者が予め設定することができる。複数の登録使用者がいる場合は、登録使用者ごとに異なる機能制御を設定することができる。また、カメラを隠す等によって顔認識ができなかった場合は、上記（３）不正使用者に対する機能制御を適用することができる。
【００４０】
また、上記メールフォルダやデータフォルダについては登録使用者ごとに専用のフォルダを作成しておき、登録使用者が操作するときには、その登録使用者専用のフォルダについてのみメールやデータを参照できるようにしてもよい。
【００４１】
上記操作検知手段１３３は、携帯電話機１０の操作（又は操作開始）を検知する手段であり、前述の操作開始検知部１２２を用いて構成される。
【００４２】
上記制御手段１３４は、前述の主制御部１１０を用いて構成され、次のような機能制御を行う。すなわち、制御手段１３４は、携帯電話機（電子機器）の操作が検知されたときに、その携帯電話機の使用者の顔を撮影し、その顔の画像データと顔認識基準データとの比較結果に基づいて使用者を識別し、その識別結果と機能制御情報とに基づいて使用者が使用可能な機能を制御する。かかる制御手段としての主制御部１１０は所定のプログラムが実行されることにより、顔認識コントローラや顔認識エンジンとして機能する。
【００４３】
図５は、携帯電話機１０におけるソフトウェア・インターフェースの一例を示すブロック図である。上記顔認識機能は、主に顔認識コントローラ１４０と顔認識エンジン１４１とで構成されるミドルウェアで実現される。携帯電話通信網を介した電話やデータ通信等の携帯電話機１０の基本的な動作は、ネイティブと呼ばれる電話機プラットフォームの実行環境上で実行される。このネイティブは、基本ＯＳや、各種ミドルウェア、各種ドライバーソフト等で構成される。ミドルウェアとしては、電話処理ソフト、メールクライアント、メールブラウザ、ＨＴＴＰクライアント、ＷＷＷブラウザ、アプリケーションマネージャ等のソフトが起動される。このネイティブ内のドライバーソフトを介して、ＧＰＳ部１１７におけるＧＰＳ制御ソフトや、センサ部１１９におけるセンサ制御ソフト等が実行される。
【００４４】
顔認識コントローラ１４０は、ネイティブ上で実行されるネイティブアプリケーション１４２により顔認識制御ＡＰＩ（Application Program Interface）を介して制御される。例えば、顔認識制御ＡＰＩを介して、次のような顔認識の開始・終了、カメラ画像セット、顔認識の正否通知などが制御される。
・顔認識の開始：顔認識、認識対象の使用者の登録を開始し、初期化処理を実行する。同時に、個人識別パラメータを顔認識エンジンに対してセットし、その後、顔認識に用いるデータのセットを順次行う。この顔認識に用いるデータは、特定の種類に限定されるものではなく、顔認識処理に採用する顔認識エンジンの種類に応じて設定される。顔認識に用いるデータとしては、例えば顔特徴情報のデータや使用者データがある。ここで、「顔特徴情報」は、顔を検出する際に用いる特徴量の情報である。ユーザの顔画像から顔特徴情報を検出し顔認識エンジンに設定することで、顔の特徴点抽出を安定させることができる。また、「使用者データ」は、使用者のモノクロ画像（サムネイル画像）、顔特徴点座標、個人識別ＩＤ、表情の動き情報等のデータである。
・顔認識の終了：顔認識処理を終了する。
・カメラ画像セット：カメラから取得された画像を、エンジン処理可能な形式（例えば、グレースケール８ビット色画像）に変換し、顔認識エンジンに渡す。
・顔認識の正否通知：前もって設定されたコールバック関数を用いて正否判定結果を返信する。
【００４５】
顔認識コントローラ１４０は、デバイスＡＰＩを介して各種デバイスを制御し、次のようなデータ・情報・ファイルの保存及び取得処理並びにカメラの制御を行う。
・使用者データの保存・取得：内部メモリ１１０ｂやメモリーカード２００の規定ディレクトリに使用者データを保存したり、保存されている使用者データを読み出して取得したりする。
・上記顔認識に用いる顔特徴情報の保存・取得：内部メモリ１１０ｂやメモリーカード２００の規定ディレクトリに顔特徴情報を保存したり、保存されている顔特徴情報を読み出して取得したりする。この顔特徴情報は、顔認識エンジン１４１によって出力される。
・個人識別パラメータファイルの取得：内部メモリ１１０ｂやメモリーカード２００に保存されている規定ファイルを読み出して取得し、その規定ファイルに書き込まれている顔認識基準データとしての個人識別パラメータの内容を顔認識エンジン１４１に受け渡す。ここで、「パラメータファイル」は、顔認識の際の閾値、タイムアウト値等の設定パラメータが書き込まれたファイルである。
・カメラ制御：カメラの起動及び終了、並びに顔の撮影に用いる画像サイズ、フレーム数、画像モードなどを変更する。
【００４６】
また、顔認識エンジン１４１は、顔認識コントローラ１４０により顔画像処理ＡＰＩを介して制御され、上記カメラで撮影された顔画像のデータ及び上記個人識別パラメータなどに基づいて、顔認識のための画像処理を実行する。
【００４７】
図６は、上記構成の携帯電話機１０における使用者の顔認識による自動機能制御の一例を示すフローチャートである。この携帯電話機１０の待受状態では、顔認識による自動機能制御を行う「顔認識制御モード」の起動要求を受付可能な状態にある（Ｓ１０１，Ｓ１０２）。この「顔認識制御モード」の起動要求は、例えば携帯電話機１０の所有者が操作部１１５を操作することによって入力される。また、遠隔からの電話やメールによって「顔認識制御モード」の起動要求を携帯電話機１０に通知するようにしてもよい。
【００４８】
次に、携帯電話機１０は、上記「顔認識制御モード」の起動要求を受けると、顔認識制御モードを開始し（Ｓ１０３）、通常の待受状態から「待受＋顔認識待機状態」に移行する（Ｓ１０４）。この待機状態で、いずれかの使用者によって携帯電話機１０の操作が開始されると、その操作開始が検知される。より具体的には、図３に示す折り畳みタイプ（クラムシェルタイプ）の携帯電話機１０において、筐体上部１０Ａを揺動させて筐体下部１０Ｂから離して開くオープン操作時の状態変化が、操作開始検知部１２２で検知される。この状態変化により、携帯電話機１０の操作が開始されたと自動認識することができる。
【００４９】
次に、上記携帯電話機１０のオープン操作が検知されると、顔認識処理が実行される（Ｓ１０５，Ｓ１０６）。この顔認識処理は、主制御部１１０の顔認識コントローラ１４０からカメラ部１１８に対してカメラ起動指令が送られることにより開始する。カメラ起動指令を受けたカメラ部１１８は、予め設定した所定の撮影条件（画像サイズ、撮影フレーム数、撮影モード等の条件）に基づいて、携帯電話機１０の操作を開始した使用者に対向する正面カメラ１０９により、その使用者の顔の撮影を開始する。そして、主制御部１１０の顔認識コントローラ１４０は、カメラ部１１８で撮影された顔の画像データを受けると、顔認識エンジン１４１に渡す。顔認識エンジン１４１は、予め登録されている使用者の顔認識基準データに基づいて認識処理を実行する。この顔認識処理の方式としては、様々な方式を採用することができる。例えば、複数のフレームの顔画像データ（入力画像フレーム）から選択した１フレームの顔画像データを用いて顔認識を行う方式であってもよい。この場合、上記１フレームの顔画像データとして、例えば撮影された使用者の顔をトラッキングする過程で最適なフレームの顔画像データ（入力画像フレーム）が選択される。そして、その選択されたフレームの顔画像データ（入力画像フレーム）を使って顔の特徴点抽出が行われる。
【００５０】
次に、上記顔認識処理の結果に基づいて、携帯電話機１０の操作を開始した使用者が識別され、予め設定されて保存されている機能制御情報に基づいて機能制御が実行される（Ｓ１０７〜Ｓ１１２）。ここで、操作開始の使用者が携帯電話機１０の所有者であると判定された場合は、機能制限がなく、全機能を使用可能な通常の動作になるように制御される（Ｓ１０８）。また、操作開始の使用者が、予め登録された登録使用者であると判定された場合は、予め設定されている登録使用者用の機能制御情報に基づいて、所定の機能だけが使用できるように機能制限が実行されるように制御される（Ｓ１０９）。
【００５１】
一方、操作開始の使用者が、上記所有者及び登録使用者以外の不正使用者と判定された場合又は顔認識不可と判定された場合は、更に、所定のEmergency動作を実行する「不正使用対応モード」が設定されているか否かが判定される（Ｓ１１０）。ここで、「不正使用対応モード」が設定されていない場合は、予め設定されている不正使用者用の機能制御情報に基づいて、通常使用者用のほとんどの機能が使用できないようにディスプレイをオフにしたり、不正使用者用に設定されたアラーム出力が実行されたりするように、制御される（Ｓ１１１）。また、上記「不正使用対応モード」が設定されていない場合は、所有者によって予め設定されたEmergency動作を実行する（Ｓ１１２）。このEmergency動作としては、例えば撮影した使用者の顔の画像データを添付したメールを所定のメールアドレス宛に送信するように動作する。
【００５２】
次に、上記顔認識による使用者の識別結果に基づいた機能制御が実行された後、顔認識制御モードを終了するか否かが判定される（Ｓ１１３）。顔認識制御モードを終了しない場合は、前述の「待受＋顔認識待機状態」になる。顔認識制御モードを終了する場合は、前述の「待受＋顔認識待機状態」
なお、初回の顔認識による使用者の識別結果に基づいた機能制御が実行された後、「待受＋顔認識待機状態」にある携帯電話機１０が継続的に操作されている場合は、一定の時間間隔ごとに、上記顔認識処理及びその顔認識による使用者の識別結果に基づいた機能制御を実行するようにしてもよい。
【００５３】
上記顔認識制御モードは、使用者による一連の操作が終了し利用者が携帯電話機１０を閉じた時や電源を切った時などに終了する。
【００５４】
図７は、各使用者に対する機能制御内容を設定するときの画面遷移の一例を示す説明図である。まず、携帯電話機１０の操作部１１５を操作し、メインメニュー画面で顔認証モード設定を選択すると、顔認証モード設定画面１５０が表示される。この顔認証モード設定画面１５０で「１．登録ユーザ」を選択すると、顔認証による識別対象の使用者として予め登録されている複数の登録ユーザがリストアップされた登録ユーザ設定画面１５１が表示される。この登録ユーザ設定画面１５１にリストアップされている複数の登録ユーザごとに、機能制御設定用のアクセス権限設定画面１５２を表示し、各種機能の使用の可否について設定することができる。図７の例では、音声発信、メール発信、ボタン（キー）操作、発信履歴・着信履歴の参照、メールフォルダの参照等の可否を設定することができる。
【００５５】
一方、上記顔認証モード設定画面１５０で「２．不正者」を選択すると、携帯電話機１０の所有者及び登録ユーザ以外の不正使用者に対するモード設定を行う不正者モード設定画面１５３が表示される。この不正者モード設定画面１５３では、「アクセス制限モード」及び上記Emergency動作を行う不正使用対応モード（以下「Emergencyモード」という。）のいずれかを設定対象として選択することができる。「アクセス制限モード」の内容について設定するアクセス権限設定画面１５４では、不正使用者に対する機能制限及び不正使用者の場合に特定の出力動作について設定することができる。例えば、図７の例では、アラーム音の出力、ＬＥＤの発光・点滅、バイブレータ動作、液晶表示の停止、ダイヤルロック、オールロックについてＯＮ／ＯＦＦを設定することができる。また、「Emergencyモード」の内容について設定するEmergencyモード設定画面１５５では、不正使用者が操作したときに緊急に実行する特定の動作について設定することができる。図７の例では、顔写真の撮影のＯＮ／ＯＦＦ、メール送信のＯＮ／ＯＦＦ、メール送信先、液晶表示のＯＮ／ＯＦＦについて設定することができる。
【００５６】
図８及び図１１は、顔認証による識別対象の使用者を登録するユーザ登録モードにおける処理の一例を示すシーケンスフロー図である。図８の続きのシーケンスが図１１に表示されている。
まず、携帯電話機１０の待受状態において、登録対象の使用者が操作部１１５を操作し、ユーザ登録モードの起動を要求すると、主制御部１１０において、ユーザ登録モードが起動されるとともに、顔認識に必要なパラメータデータが取得される。次に、主制御部１１０において、顔認識エンジンが初期化され、顔認識のアプリケーションが呼び出されて起動される。
【００５７】
次に、主制御部１１０からカメラ部１１８にカメラ撮影開始要求が出力されると、正面カメラ１０９が起動するとともに、表示部１１４のディスプレイに図９（ａ）に示す顔撮影ガイド用画像を表示する撮影画像表示が実行される。そして、カメラ部１１８は、所定の撮影条件で登録ユーザの顔を撮影し、主制御部１１０に渡す。主制御部１１０は、カメラ部１１８から受けて取得した顔の画像データを内部メモリ１１０ｂ又はメモリーカード２００の所定記憶領域に保存する。
【００５８】
次に、主制御部１１０は、認識エンジンによって顔の認識処理を実行し、図１０（ａ）又は図１０（ｂ）に示す認識結果を通知するとともに、表示部１１４のディスプレイに図９（ｂ）に示す認識結果の顔画像を表示する確認表示を実行する。
【００５９】
次に、登録対象の使用者が操作部１１５を操作し、登録処理を要求すると、主制御部１１０において、カメラの停止処理が実行されるとともに、上記顔認証処理で得られた顔認識基準データであるユーザ認証情報が、内部メモリ１１０ｂ又はメモリーカード２００の所定記憶領域に保存される。その後、主制御部１１０は、顔認識エンジンを停止するとともに、顔認識のアプリケーションを終了し、通常の待受状態に戻す。
【００６０】
なお、前述の図６に示す顔認識制御モードは、電話やメールを用いてリモート起動することができる。このリモート起動を許可するか否かは、図１２に示す顔認識起動設定の画面で設定することができる。
【００６１】
図１３及び図１４は、電話やメールによる顔認識制御モードのリモート起動を行う場合の処理の一例を示すシーケンスフロー図である。図１３の続きのシーケンスが図１４に表示されている。このような電話やメールによるリモート起動を行うことにより、携帯電話機１０を落したり盗まれたりした場合に、顔認識制御モードを速やかに起動し、携帯電話機１０の不正使用を未然に防止できる。
【００６２】
図１３に示すシーケンスフローは、音声（電話）によるリモート起動の処理を示している。まず、図１３において、携帯電話機１０の待受状態で着信を受けたとき、音声（電話）の着信か否かが判断される。ここで、音声の着信の場合、主制御部１１０は着信設定パラメータを取得し、着信動作を実行する。そして、発信元の電話に対して遠隔認証を要求し、所定の認証結果の情報を受信し、その情報が正しいか否かを判断する。主制御部１１０は、正しい認証結果の情報を受信すると、顔認識制御モードを起動するとともに、顔認識に必要なパラメータデータを取得し、起動した旨を通知する起動通知を発信元の電話に送信する。そして、主制御部１１０は終話処理を実行した後、「待受＋顔認識待機状態」に移行する。
【００６３】
一方、メール着信の場合、図１４に示すように、主制御部１１０はメール着信か否かを確認する。メール着信の場合は、着信設定パラメータを取得し、受信したメールのメッセージ等のデータをメールボックスに保存する。そして、リモートメール設定がオンであって受信したメールが所定のリモートメールであるときは、メール内のキーワードについて照合処理を実行する。この照合の結果がＯＫの場合には、顔認識制御モードを起動するとともに、顔認識に必要なパラメータデータを取得し、起動した旨を通知する返信メールを発信元の通信端末に送信し、「待受＋顔認識待機状態」に移行する。
【００６４】
図１５は、上記Emergencyモードを設定したときの処理の一例を示すシーケンスフロー図である。このEmergencyモードにおける表示部１１４は非表示になるように表示パラメータが設定されている。
【００６５】
上記Emergencyモードが設定された「待受＋顔認識待機状態」において、使用者による携帯電話機１０の操作開始が検知されると、主制御部１１０は、認識エンジンを初期化するとともに、顔認識のアプリケーションを呼び出して起動する。
【００６６】
次に、主制御部１１０からカメラ部１１８にカメラ撮影開始要求が出力されると、正面カメラ１０９が起動する。カメラ部１１８は、所定の撮影条件で登録ユーザの顔を撮影し、主制御部１１０に渡す。
【００６７】
次に、主制御部１１０は、認識エンジンによって顔の認識に成功するまで顔認識処理を実行する。主制御部１１０は、顔認識処理に成功したら、カメラ部１１８から取得した不正使用者の顔の画像データを内部メモリ１１０ｂ又はメモリーカード２００の所定記憶領域に保存する。また、主制御部１１０は、不正使用者の顔の画像データを添付したメールを、所定の通信先宛（例えば所有者又は正規の登録使用者のメールアドレス宛）に送信するように制御する。
【００６８】
次に、主制御部１１０は、カメラの停止処理を実行するとともに、上記顔認証処理で得られた顔認識基準データであるユーザ認証情報を、内部メモリ１１０ｂ又はメモリーカード２００の所定記憶領域に保存する。その後、主制御部１１０は、顔認識エンジンを停止するとともに、顔認識のアプリケーションを終了する。
【００６９】
以上、本実施形態によれば、使用者の顔認識に使用される顔認識基準データが予め顔認識基準データ記憶手段１３１に記憶されている。そして、携帯電話機１０の操作が検知されると、その使用者の顔が撮像手段１３０で撮影され、この撮影された顔の画像データと、上記顔認識基準データ記憶手段１３１に記憶されている顔認識基準データとが比較される。この比較結果に基づいて、上記操作している使用者が自動識別されるので、使用者の識別のために暗証番号の入力等の煩雑な作業を行う必要がない。しかも、携帯電話機１０の撮像手段１３０で顔を撮影するという使用者が意識しない状態で、使用者を識別することができる。そして、この識別結果と、予め記憶しておいた機能制御情報とに基づいて、その使用者について予め設定されている機能についてのみ使用できるように使用可能な機能を制御することができる。従って、暗証番号の入力等の煩雑な作業を行うことなく、携帯電話機１０を操作する使用者が意識しない状態で使用者を識別し使用可能な機能を制御することができる。
また、本実施形態によれば、使用者による使用開始操作が検知されたときに、上記顔の撮影と上記使用者の識別と上記機能制御とを行うことにより、使用者が携帯電話機１０の使用を開始したとき、その使用者に対する所定の機能制御を速やかに開始することができる。
また、本実施形態によれば、携帯電話機１０の使用中に、予め設定した所定の時間間隔ごとに上記顔の撮影と上記使用者の識別と上記機能制御とを継続して行うことにより、携帯電話機１０の使用中に、その携帯電話機１０を実際に操作している使用者が他の使用者に変わった場合でも、当該他の使用者に対する所定の機能制御を速やかに開始できる。
また、本実施形態によれば、携帯電話機１０を操作して使用する使用者が複数いる場合にも、複数の使用者それぞれについて機能の制御を行うことができる。
また、本実施形態によれば、複数の使用者ごとに互いに異なる内容で機能を制御できる。
また、本実施形態によれば、撮影した使用者の顔の画像を表示しないことにより、顔が撮影されていることが使用者にわかりにくくなるので、使用者が意識しない状態での使用者の識別をより確実に行うことができる。
また、本実施形態によれば、主制御部１１０の内部メモリ１１０ｂやメモリーカード２００に保存されているデータの参照、編集、移動及び複写の少なくとも一つの機能を特定の使用者のみ使用できるように制御できる。
また、本実施形態によれば、内部メモリ１１０ｂやメモリーカード２００に保存されている通信相手先情報及び通信履歴情報の少なくとも一方のデータについて、そのデータの参照、編集、移動及び複写の少なくとも一つの機能を特定の使用者のみ使用できるように制御できる。
また、本実施形態によれば、音声通話の発信、着信及び着信通知表示の少なくとも一つの機能を特定の使用者のみ使用できるように制御できる。
また、本実施形態によれば、メールの発信、着信及び着信通知表示の少なくとも一つの機能を特定の使用者のみ使用できるように制御できる。
また、本実施形態によれば、所定の発信者から動作モード設定を行うための電話又はメールを着信したとき顔認証制御モードに自動的に設定されるので、顔認証制御モードのリモート設定が可能になる。
【００７０】
なお、上記実施形態では、内向きの正面カメラ１０９を顔認識に使用することとして説明したが、使用者が操作する際に外向きの背面カメラ１０８が使用者の顔に対向する場合には外向きの背面カメラ１０８を顔認識に使用してもよい。
また、上記実施形態では、使用者の使用開始操作が検知されたときに、上記顔の撮影と上記使用者の識別と上記機能制御とを行うことを説明したが、任意のタイミングで操作された使用者の指示操作が検知されたときに、上記顔の撮影と上記使用者の識別と上記機能制御とを行うようにしてもよい。例えば、携帯電話機１０の使用中に、その携帯電話機１０を実際に操作している使用者が他の使用者に変わった場合に、その他の使用者が任意のタイミングで指示操作をすることにより使用者に対する所定の機能制御を開始できるようにしてもよい。
また、上記実施形態では携帯電話機の場合について説明したが、本発明は、操作する使用者の顔を撮影可能なカメラを備えることにより、携帯電話機以外の他の電子機器についても同様に適用できる。
【図面の簡単な説明】
【００７１】
【図１】本実施形態に係る携帯電話機のハードウェア構成の一例を示すブロック図。
【図２】カメラ部のブロック図。
【図３】（ａ）、（ｂ）及び（ｃ）はそれぞれ携帯電話機の外観を示す背面図、正面図及び側面図。
【図４】携帯電話機における本発明の特徴部に対応する主要な機能を抽出して示した機能ブロック図。
【図５】携帯電話機におけるソフトウェア・インターフェースの一例を示すブロック図。
【図６】携帯電話機における使用者の顔認識による自動機能制御の一例を示すフローチャート。
【図７】各使用者に対する機能制御内容を設定するときの画面遷移の一例を示す説明図。
【図８】顔認証による識別対象の使用者を登録するユーザ登録モードにおける処理（前半部分）の一例を示すシーケンスフロー図。
【図９】（ａ）は顔撮影ガイド用画像の説明図。（ｂ）は認識結果の顔画像の説明図。
【図１０】（ａ）及び（ｂ）はそれぞれ認識結果の通知の表示画面の説明図。
【図１１】顔認証による識別対象の使用者を登録するユーザ登録モードにおける処理（後半部分）の一例を示すシーケンスフロー図。
【図１２】顔認識起動設定の画面の説明図。
【図１３】電話やメールによる顔認識制御モードのリモート起動を行う場合の処理（前半部分）の一例を示すシーケンスフロー図。
【図１４】電話やメールによる顔認識制御モードのリモート起動を行う場合の処理（後半部分）の一例を示すシーケンスフロー図。
【図１５】Emergencyモードを設定したときの処理の一例を示すシーケンスフロー図。
【符号の説明】
【００７２】
１０    携帯電話機
１１０  主制御部
１１０ｂ  内部メモリ
１１８  カメラ部
１２２  操作開始検知部
１３０  撮像手段
１３１  顔認識基準データ記憶手段
１３２  制御情報記憶手段
１３３  操作検知手段
１３４  制御手段
【図１】
2007067782.tif 000003
【図２】
2007067782.tif 000004
【図３】
2007067782.tif 000005
【図４】
2007067782.tif 000006
【図５】
2007067782.tif 000007
【図６】
2007067782.tif 000008
【図７】
2007067782.tif 000009
【図８】
2007067782.tif 000010
【図１０】
2007067782.tif 000011
【図１１】
2007067782.tif 000012
【図１２】
2007067782.tif 000013
【図１３】
2007067782.tif 000014
【図１４】
2007067782.tif 000015
【図１５】
2007067782.tif 000016
【図９】
2007067782.tif 000017